(57)【要約】【課題】建設現場の仮囲いの装飾性を高めて、通行人にやすらぎやおもしろみを与え、良い印象を与えることができ、周囲の美的環境を向上することができる仮囲いの装飾シール作成制御システムを提供することを目的とする。【解決手段】建設現場を囲む仮囲い１であって、少なくとも２以上の基本画像Ｉａ１・Ｉａ２を組み合わせて合成画像Ｉｂを生成する合成画像生成部１２と、前記合成画像Ｉｂに含まれる前記基本画像Ｉａ１・Ｉａ２の遠近位置、陰影位置、色合いを調整することでトリックアート画像Ｉｃを生成するトリックアート画像生成部１３と、前記トリックアート画像Ｉｃの印刷指令を出力して印刷部９により前記トリックアート画像Ｉｃを粘着シートに印刷し、前記仮囲い１の壁面材２に貼付される装飾シール２１を作成する印刷指令部１４と、を備えることを特長とする。【選択図】図１
2018184793.tif 000002
【特許請求の範囲】
【請求項１】
建設現場を囲む仮囲いであって、
少なくとも２以上の基本画像を組み合わせて合成画像を生成する合成画像生成部と、
前記合成画像に含まれる前記基本画像の遠近位置、陰影位置、色合いを調整することでトリックアート画像を生成するトリックアート画像生成部と、
前記トリックアート画像の印刷指令を出力して印刷部により前記トリックアート画像を粘着シートに印刷し、前記仮囲いの壁面材に貼付される装飾シールを作成する印刷指令部と、を備えることを特長とする仮囲いの装飾シール作成制御システム。
【請求項２】
前記トリックアート画像生成部は、前記合成画像に含まれる前記基本画像の遠近位置、陰影位置、色合いを調整するとともに、
前記基本画像の外側部分を前記壁面材の表面と同じ色に設定した前記トリックアート画像を生成することを特長とする請求項１に記載の仮囲いの装飾シール作成制御システム。
【発明の詳細な説明】
【技術分野】
【０００１】
この発明は、トリックアート画像によって通行人にやすらぎを与え、周囲の美的環境を向上することが可能な仮囲いの装飾シール作成制御システムに関する。
【背景技術】
【０００２】
ビルなどの建設現場などにおいては、外部と区画するために仮囲いを設置している。仮囲いは、通行人の安全確保や事故の防止等の機能を優先することから、仮囲いを構成する無味乾燥な壁面材が通路に面して設置されることになり、通行者に殺風景な印象を与え、周囲の美的環境を損なうことがあった。
【０００３】
そこで、仮囲いには、壁面材に植物を植えることで緑化を図り、周囲の美的環境の向上を図った仮囲いが提案されている。
仮囲いを緑化する技術には、特開２００７−２５９７８６号公報に、２本の支柱間に複数個の苗床保持具を挿入し、苗床保持具の前面のシートに切れ目を入れて苗の根を挿入した緑化仮囲いが開示されている。
また、仮囲いを緑化する技術には、特開２０１０−１３３２１２号公報に、仮囲い用の鋼板の裏側に複数のプランターを固定し、各プランターの上部の鋼板に開口部を設け、プランターの植物を開口部から伸ばすようにした仮囲いの緑化装置が開示されている。
【先行技術文献】
【特許文献】
【０００４】
【特許文献１】特開２００７−２５９７８６号公報
【特許文献２】特開２０１０−１３３２１２号公報
【発明の概要】
【発明が解決しようとする課題】
【０００５】
ところが、仮囲いの緑化には、植物の生長を待つ必要があるため、緑化に時間がかかる問題がある。また、植物は、成長に応じて手入れが必要なため、管理コストがかかる問題がある。
【０００６】
一方、仮囲いには、壁面材に内部の建設現場を見ることができる開口部を設けた仮囲いや、壁面材に写真・絵などを貼り付けて装飾性を持たせた仮囲いがある。しかし、開口部を設けた仮囲いや写真・絵などを貼り付けた仮囲いでは、通行人にやすらぎやおもしろみを十分に与えることができず、良い印象を与えることができない。
【０００７】
そこで、この発明は、建設現場の仮囲いの装飾性を高めて、通行人にやすらぎやおもしろみを与え、良い印象を与えることができ、周囲の美的環境を向上することができる仮囲いの装飾シール作成制御システムを提供することを目的とする。
【課題を解決するための手段】
【０００８】
この発明は、建設現場を囲む仮囲いであって、少なくとも２以上の基本画像を組み合わせて合成画像を生成する合成画像生成部と、前記合成画像に含まれる前記基本画像の遠近位置、陰影位置、色合いを調整することでトリックアート画像を生成するトリックアート画像生成部と、前記トリックアート画像の印刷指令を出力して印刷部により前記トリックアート画像を粘着シートに印刷し、前記仮囲いの壁面材に貼付される装飾シールを作成する印刷指令部と、を備えることを特長とする。
【発明の効果】
【０００９】
この発明の仮囲いの装飾シール作成制御システムは、粘着シートにトリックアート画像を印刷して装飾シールを作成するので、作成された装飾シールを仮囲いの壁面材に貼付するだけで仮囲いの装飾性を容易かつ安価に高めることができ、装飾シールのトリックアート画像を見た通行人にやすらぎやおもしろみを与え、良い印象を与えることができ、周囲の美的環境を向上することができる。
【図面の簡単な説明】
【００１０】
【図１】図１は装飾シール作成制御システムのブロック図である。（実施例）
【図２】図２は額縁画像を示す図である。（実施例）
【図３】図３は動物画像を示す図である。（実施例）
【図４】図４は合成画像を示す図である。（実施例）
【図５】図５はトリックアート画像を示す図である。（実施例）
【図６】図６は粘着シートを示す図である。（実施例）
【図７】図７はトリックアート画像が印刷された装飾シールを示す図である。（実施例）
【図８】図８は装飾シールを貼付した仮囲いの斜視図である。（実施例）
【図９】図９は仮囲いの装飾シール作成制御のフローチャートである。（実施例）
【発明を実施するための形態】
【００１１】
以下、図面に基づいて、この発明の実施例を説明する。
【実施例】
【００１２】
図１〜図９は、この発明の実施例を示すものである。この発明は、図８に示す建設現場を囲む仮囲い１の壁面材２に装飾を施すことで、周囲の美的環境を向上するものである。
図１において、仮囲い１の装飾シール作成制御システム３は、コンピュータにより構成される制御装置４を備える。
制御装置４は、入力側に、キーボードやマウスなどの操作指令を入力する指令入力部５、画像情報を記憶した外付けハードディスクなどの外部記憶部６、画像情報を取り込むスキャナなどの画像取込部７が接続される。制御装置４は、出力側に、画像を表示する液晶ディスプレーなどの表示部８、画像を印刷するプリンタなどの印刷部９が接続される。
制御装置４は、画像処理部１０、画像記憶部１１を備える。画像処理部１０は、合成画像生成部１２と、トリックアート画像生成部１３と、印刷指令部１４とを有している。画像記憶部１１は、基本画像記憶部１５と、合成画像記憶部１６と、トリックアート画像記憶部１７とを有している。
【００１３】
画像処理部１０は、指令入力部５から入力された指令に基づいて、外部記憶部６や画像取込部７から少なくとも２以上の基本画像Ｉａを入力し、入力した基本画像Ｉａを表示部８に表示し、基本画像記憶部１５に記憶する。この実施例において、基本画像Ｉａは、少なくとも額縁画像Ｉａ１（図２参照）と、この額縁画像Ｉａ１に囲まれる動物画像Ｉａ２（図３参照）と、からなる。
合成画像生成部１２は、指令入力部５から入力された指令に基づいて、基本画像記憶部１５に記憶されるこれら額縁画像Ｉａ１と動物画像Ｉａ２を組み合わせて配置した合成画像Ｉｂ（図４参照）を生成する。生成された合成画像Ｉｂは、表示部８に表示され、合成画像記憶部１６に記憶される。
【００１４】
トリックアート画像生成部１３は、指令入力部５から入力された指令に基づいて、合成画像記憶部１６に記憶される合成画像Ｉｂに含まれる額縁画像Ｉａ１と動物画像Ｉａ２の遠近位置、陰影位置、色合いを調整することで、トリックアート画像Ｉｃ（図５参照）を生成する。
遠近位置、陰影位置、色合いの調整とは、「遠近法」、「陰影法」、「前進色と後進色の組み合わせ」等の技法を用い、額縁画像Ｉａ１と動物画像Ｉａ２に対する光の照射方向や、額縁画像Ｉａ１と動物画像Ｉａ２の影部分１８の位置を計算し、見る者の目の錯覚を利用して平面的な画像が立体的に見えるように調整することである。
そして、トリックアート画像生成部１３は、合成画像Ｉｂに含まれる額縁画像Ｉａ１と動物画像Ｉａ２の遠近位置、陰影位置、色合いを調整するとともに、額縁画像Ｉａ１と動物画像Ｉａ２の外側部分１９（影部分１８を除く）を壁面材２の表面と同じ色（例えば、白色）に設定したトリックアート画像Ｉｃを生成する。生成されたトリックアート画像Ｉｃは、表示部８に表示され、トリックアート画像記憶部１７に記憶される。
【００１５】
印刷指令部１４は、指令入力部５から入力された指令に基づいて、トリックアート画像記憶部１７に記憶されるトリックアート画像Ｉｃの印刷指令を印刷部９に出力し、印刷部９によりトリックアート画像Ｉｃを粘着シート２０（図６参照）に印刷し、装飾シール２１（図７参照）を作成する。
このとき、印刷指令部１４は、指令入力部５から入力された指令に基づいて、額縁画像Ｉａ１と動物画像Ｉａ２の外側部分１９（影部分１８を除く）となる粘着シート２０の余白部分２２を壁面材２の表面と同じ色に印刷する印刷指令を印刷部９に出力し、余白部分２２を壁面材２の表面と同じ色に印刷した装飾シール２１を作成する。装飾シール２１は、図８に示すように、建設現場を囲む仮囲い１の壁面材２に貼付される。
【００１６】
次に作用を説明する。
仮囲い１の装飾シール作成制御システム３は、図９に示すように、制御装置４によって、装飾シール作成制御のプログラムがスタートすると、指令入力部５から基本画像取り込み指令が入力されたかを判断する（Ｓ０１）。
制御装置４は、判断（Ｓ０１）がＮＯの場合、この判断を繰り返す。制御装置４は、判断（Ｓ０１）がＹＥＳの場合、指令入力部５から入力された基本画像取り込み指令に基づいて、外部記憶部６や画像取込部７から基本画像Ｉａとして額縁画像Ｉａ１（図２）と動物画像Ｉａ２（図３）とを取り込む（Ｓ０２）。
制御装置４は、取り込んだ額縁画像Ｉａ１と動物画像Ｉａ２とを表示部８に表示し、指令入力部５から基本画像取り込み終了指令が入力されたかを判断する（Ｓ０３）。
制御装置４は、判断（Ｓ０３）がＮＯの場合、基本画像取り込み指令入力の判断（Ｓ０１）に戻る。制御装置４は、判断（Ｓ０３）がＹＥＳの場合、入力した額縁画像Ｉａ１と動物画像Ｉａ２とを基本画像記憶部１５に記憶し（Ｓ０４）、指令入力部５から合成画像生成指令が入力されたかを判断する（Ｓ０５）。
【００１７】
制御装置４は、判断（Ｓ０５）がＮＯの場合、この判断を繰り返す。制御装置４は、判断（Ｓ０５）がＹＥＳの場合、指令入力部５から入力された合成画像生成指令に基づいて、合成画像生成部１２により額縁画像Ｉａ１と動物画像Ｉａ２とを組み合わせて配置した合成画像Ｉｂ（図４）を生成する（Ｓ０６）。
制御装置４は、生成した合成画像Ｉｂを表示部８に表示し、指令入力部５から合成画像終了指令が入力されたかを判断する（Ｓ０７）。
制御装置４は、判断（Ｓ０７）がＮＯの場合、合成画像生成指令入力の判断（Ｓ０５）に戻る。制御装置４は、判断（Ｓ０７）がＹＥＳの場合、生成した合成画像Ｉｂを合成画像記憶部１６に記憶し（Ｓ０８）、指令入力部５からトリックアート画像生成指令が入力されたかを判断する（Ｓ０９）。
【００１８】
制御装置４は、判断（Ｓ０９）がＮＯの場合、この判断を繰り返す。制御装置４は、判断（Ｓ０９）がＹＥＳの場合、指令入力部５から入力されたトリックアート画像生成指令に基づいて、トリックアート画像生成部１３により合成画像Ｉｂに含まれる額縁画像Ｉａ１と動物画像Ｉａ２との遠近位置、陰影位置、色合いを調整するとともに、額縁画像Ｉａ１と動物画像Ｉａ２の外側部分１９（影部分１８を除く）を壁面材２の表面と同じ色（例えば、白色）に設定したトリックアート画像Ｉｃ（図５）を生成する。（Ｓ１０）。
制御装置４は、生成したトリックアート画像Ｉｃを表示部８に表示し、指令入力部５からトリックアート画像生成終了指令が入力されたかを判断する（Ｓ１１）。
制御装置４は、判断（Ｓ１１）がＮＯの場合、トリックアート画像生成指令入力の判断（Ｓ０９）に戻る。制御装置４は、判断（Ｓ１１）がＹＥＳの場合、生成したトリックアート画像Ｉｃをトリックアート画像記憶部１７に記憶し（Ｓ１２）、指令入力部５からトリックアート画像印刷指令が入力されたかを判断する（Ｓ１３）。
【００１９】
制御装置４は、判断（Ｓ１３）がＮＯの場合、指令入力部５から装飾シール作成終了指令が入力されたかの判断（Ｓ１５）に移行する。
制御装置４は、判断（Ｓ１３）がＹＥＳの場合、指令入力部５から入力されたトリックアート画像印刷指令に基づいて、印刷指令部１４によりトリックアート画像記憶部１７に記憶されるトリックアート画像Ｉｃの印刷指令を印刷部９に出力し、トリックアート画像Ｉｃを粘着シート２０（図６）に印刷するとともに粘着シート２０の余白部分２２を壁面材２の表面と同じ色に印刷（Ｓ１４）して装飾シール２１（図７）を作成し、指令入力部５から装飾シール作成終了指令が入力されたかを判断する（Ｓ１５）。
制御装置４は、判断（Ｓ１５）がＮＯの場合、基本画像取り込み指令入力の判断（Ｓ０１）に戻る。制御装置４は、判断（Ｓ１５）がＹＥＳの場合、装飾シール作成制御のプログラムをエンドにする。
【００２０】
装飾シール作成制御システム３で作成された装飾シール２１は、図８に示すように、建設現場を囲む仮囲い１の壁面材２に貼付する。これにより、仮囲い１は、装飾シール２１に印刷されたトリックアート画像Ｉｃにより目を引き付けることができ、表現豊かなトリックアート画像Ｉｃにより仮囲い１の装飾性を高めることができる。
【００２１】
このように、仮囲い１の装飾シール作成制御システム３は、粘着シート２０にトリックアート画像Ｉｃを印刷して装飾シール２１を作成するので、作成された装飾シール２１を仮囲い１の壁面材２に貼付するだけで仮囲いの装飾性を容易かつ安価に高めることができ、装飾シール２１のトリックアート画像Ｉｃを見た通行人にやすらぎやおもしろみを与え、良い印象を与えることができ、周囲の美的環境を向上することができる。
また、仮囲い１の装飾シール作成制御システム３は、トリックアート画像Ｉｃを粘着シート２０に印刷するとともに額縁画像Ｉａ１と動物画像Ｉａ２の外側部分１９となる粘着シート２０の余白部分２２を壁面材２の表面と同じ色に印刷して装飾シール２１を作成するので、仮囲い１の壁面材２の表面に対して装飾シール２１に印刷したトリックアート画像Ｉｃをより際立たせることができ、より装飾性を高めることができる。
【産業上の利用可能性】
【００２２】
この発明は、建設現場の仮囲いの装飾性を高めて、通行人にやすらぎやおもしろみを与え、良い印象を与えることができ、周囲の美的環境を向上することができるものであり、仮囲いにかぎらず、観光地や商業施設における顔出しパネルなどと呼ばれる顔を出す穴の開いた記念撮影用看板や風景写真などが印刷された借景用看板などに適用することができる。
【符号の説明】
【００２３】
１  仮囲い
２  壁面材
３  装飾シール作成制御システム
４  制御装置
５  指令入力部
６  外部記憶部
７  画像取込部
８  表示部
９  印刷部
１０  画像処理部
１１  画像記憶部
１２  合成画像生成部
１３  トリックアート画像生成部
１４  印刷指令部
１５  基本画像記憶部
１６  合成画像記憶部
１７  トリックアート画像記憶部
１８  影部分
１９  外側部分
２０  粘着シート
２１  装飾シール
２２  余白部分
【図１】
2018184793.tif 000003
【図２】
2018184793.tif 000004
【図３】
2018184793.tif 000005
【図４】
2018184793.tif 000006
【図５】
2018184793.tif 000007
【図６】
2018184793.tif 000008
【図７】
2018184793.tif 000009
【図８】
2018184793.tif 000010
【図９】
2018184793.tif 000011